(57)【要約】【課題】ノイズに起因して読取精度が低下することを抑制できる磁気ヘッドを提供すること。【解決手段】磁気ヘッド６は、ギャップ３１を備えるコア３２および前記コア３２に巻き回されたコイル３４を備えるヘッド本体２２と、コイル３４から出力されるアナログ信号を復調する復調回路５２と、復調回路５２から出力される復調信号を暗号化する暗号化回路５３と、ヘッド本体２２を収納するヘッドケース２１を有し、磁気カード（磁気記録媒体）３がギャップ３１を通過する際の磁界の変化を検出する。磁気ヘッド６は、コイル３４と復調回路５２との間に接続されてアナログ信号からノイズを除去するフィルタ回路５１を備える。フィルタ回路５１を構成するコンデンサ５６および抵抗５７は、ヘッドケース２１に収納されている。磁気ヘッド６がフィルタ回路５１を備えるので、ノイズに起因して読取精度が低下することを抑制できる【選択図】図３
2017174483.tif 000002
【特許請求の範囲】
【請求項１】
ギャップを備えるコアおよび前記コアに巻き回されたコイルを備えるヘッド本体と、前記コイルから出力されるアナログ信号を復調する復調回路と、前記復調回路から出力される復調信号を暗号化する暗号化回路と、前記ヘッド本体を収納するヘッドケースと、を有し、磁気記録媒体が前記ギャップを通過する際の磁界の変化を検出する磁気ヘッドにおいて、
前記コイルと前記復調回路との間に接続されて前記アナログ信号からノイズを除去するフィルタ回路を備え、
前記フィルタ回路を構成する電子部品は、前記ヘッドケースに収納されていることを特徴とする磁気ヘッド。
【請求項２】
請求項１において、
前記フィルタ回路用の配線パターンを備え前記電子部品が実装された回路基板を有し、
前記回路基板は、前記ヘッドケースに収納されていることを特徴とする磁気ヘッド。
【請求項３】
請求項２において、
前記ヘッド本体は、前記コイルの一方端に接続された第１端子と、前記コイルの他方端に接続され前記第１端子と離間して平行に延びる第２端子と、を備え、
前記回路基板は、前記第１端子と前記第２端子とに架け渡されていることを特徴とする磁気ヘッド。
【請求項４】
請求項３において、
前記ヘッド本体として、前記磁気記録媒体が通過する通過方向と交差する方向に配列された複数のヘッド本体を有し、
前記回路基板として、各ヘッド本体の前記第１端子と前記第２端子とにそれぞれ架け渡された複数の回路基板を有し、
互いに隣り合う前記ヘッド本体の間には、シールド板が挿入されていることを特徴とする磁気ヘッド。
【請求項５】
請求項４において、
前記ヘッドケースの内部には、樹脂が充填されていることを特徴とする磁気ヘッド。
【請求項６】
請求項１から５のうちのいずれか１項において、
一方の基板面に前記復調回路を備え、他方の基板面に前記暗号化回路を備える第２の回路基板、を有し、
前記ヘッドケースは、前記ヘッド本体を前記ヘッドケースに挿入するための開口部を備え、
前記第２の回路基板は、前記一方の基板面を前記ヘッドケースの側に向けて前記開口部を塞ぐ状態で前記ヘッドケースに固定され、
前記復調回路は、前記ヘッドケース内に配置されていることを特徴とする磁気ヘッド。
【請求項７】
ギャップを備えるコアおよび前記コアに巻き回されたコイルを備えるヘッド本体と、前記コイルから出力されるアナログ信号を復調する復調回路と、前記復調回路から出力される復調信号を暗号化する暗号化回路と、前記ヘッド本体を収納するヘッドケースと、を備える磁気ヘッドと、前記磁気ヘッドの前記ギャップを通過させるように磁気トラックを備える磁気カードを移動させるための経路とを有するカードリーダにおいて、
前記磁気ヘッドは、前記コイルと前記復調回路との間に接続されて前記アナログ信号からノイズを除去するフィルタ回路を備え、前記フィルタ回路を構成する電子部品は、前記ヘッドケースに収納されていることを特徴とするカードリーダ。
【発明の詳細な説明】
【技術分野】
【０００１】
本発明は、磁気カードなどの磁気記録媒体が通過した際の磁界の変化を検出する磁気ヘッドに関する。また、磁気ヘッドにより磁気カードの磁気トラックに記録された磁気情報を読み取るカードリーダに関する。
【背景技術】
【０００２】
磁気トラックを有する磁気カードから磁気情報を読み取るカードリーダは特許文献１に記載されている。同文献のカードリーダでは、磁気ヘッドは、ギャップを備えるコアと、コアに巻き回されたコイルと、コイルから出力されるアナログ信号を復調する復調回路と、復調回路から出力される復調信号を暗号化する暗号化回路を備える。磁気ヘッドは、磁気カードがギャップを通過する際の磁界の変化を検出して暗号化回路からの暗号化された信号を出力する。
【先行技術文献】
【特許文献】
【０００３】
【特許文献１】特開２０１１−４０１４０号公報
【発明の概要】
【発明が解決しようとする課題】
【０００４】
カードリーダの中には、磁気ヘッドによる読取位置を経由する移動経路に沿って手動で磁気カードを移動させて磁気情報を読み取るものがある。このようなカードリーダでは、磁気カードが移動経路を移動する際に発生する微小な振動に起因するノイズがコイルから出力されるアナログ信号に重畳する場合がある。また、カードリーダの中には、モータを駆動源とする搬送機構によって磁気ヘッドによる読取位置を経由する搬送経路に沿って磁気カードを搬送して磁気情報を読み取るものがある。このようなカードリーダでは、モータが発生させる磁界などがノイズとしてコイルから出力されるアナログ信号に重畳する場合がある。コイルから出力されるアナログ信号にノイズが重畳すると、カードリーダが磁気トラックから読み取る磁気情報の読取精度が低下する。
【０００５】
ここで、コイルから出力されるアナログ信号を復調した後に暗号化して出力する磁気ヘッドでは、磁気ヘッドからの出力に対してノイズを除去するフィルタ回路を設けても、アナログ信号に重畳しているノイズを除去することはできない。
【０００６】
以上の問題点に鑑みて、本発明の課題は、カードの磁気情報が不正取得されることを防止可能であっても、ノイズに起因して読取精度が低下することを抑制できる磁気ヘッドおよびカードリーダを提供することにある。
【課題を解決するための手段】
【０００７】
上記課題を解決するために、本発明は、ギャップを備えるコアおよび前記コアに巻き回されたコイルを備えるヘッド本体と、前記コイルから出力されるアナログ信号を復調する復調回路と、前記復調回路から出力される復調信号を暗号化する暗号化回路と、前記ヘッド本体を収納するヘッドケースと、を有し、磁気記録媒体が前記ギャップを通過する際の磁界の変化を検出する磁気ヘッドにおいて、前記コイルと前記復調回路との間に接続されて前記アナログ信号からノイズを除去するフィルタ回路を備え、前記フィルタ回路を構成する電子部品は、前記ヘッドケースに収納されていることを特徴とする。
【０００８】
本発明によれば、磁気ヘッドがヘッドケース内にフィルタ回路を備える。従って、コイ
ルから出力されるアナログ信号にノイズが重畳した場合でも、磁気ヘッドから出力される信号にノイズの影響が残ることを防止あるいは抑制できる。従って、磁気ヘッドを用いて磁気情報を読み取ったときに、ノイズに起因して読取精度が低下することを防止あるいは抑制できる。また、磁気ヘッドがヘッドケース内にフィルタ回路を備えるので、磁気ヘッドがアナログ信号を復調した後に暗号化して出力するものであっても、磁気ヘッドからの出力にノイズの影響が残ることを抑制できる。従って、本発明の磁気ヘッドによれば、磁気情報が不正取得されることを防止可能であっても、ノイズに起因して読取精度が低下することを抑制できる。
【０００９】
本発明において、前記フィルタ回路用の配線パターンを備え前記電子部品が実装された回路基板を有し、前記回路基板は、前記ヘッドケースに収納されていることが望ましい。フィルタ回路を構成する電子部品が複数ある場合には、これらの電子部品を回路基板に実装することによりコンパクトに纏めることができる。従って、回路基板を備えれば、フィルタ回路をヘッドケースに収納することが容易となる。
【００１０】
本発明において、前記ヘッド本体は、前記コイルの一方端に接続された第１端子と、前記コイルの他方端に接続され前記第１端子と離間して平行に延びる第２端子と、を備え、前記回路基板は、前記第１端子と前記第２端子とに架け渡されていることが望ましい。このようにすれば、回路基板をヘッド本体により支持できる。従って、回路基板をヘッド本体とともにヘッドケースに収納しやすい。
【００１１】
本発明において、前記ヘッド本体として、前記磁気記録媒体が通過する通過方向と交差する方向に配列された複数のヘッド本体を有し、前記回路基板として、各ヘッド本体の前記第１端子と前記第２端子とにそれぞれ架け渡された複数の回路基板を有し、互いに隣り合う前記ヘッド本体の間には、シールド板が挿入されていることが望ましい。このようにすれば、磁気ヘッドはヘッド本体の数に対応する数の磁気読取用のチャンネルを備えるものとなる。また、各ヘッド本体の間にシールド板を備えるので、互いに隣り合う一方のヘッド本体が発生させる磁界が、ノイズとして他方のヘッド本体に影響を及ぼすことを防止できる。さらに、各回路基板は各ヘッド本体の第１端子と第２端子の間にそれぞれ架け渡されているので、シールド板を隣り合うヘッド本体の間に挿入する際に、回路基板がシールド板の挿入を妨げることがなく、磁気ヘッドの組み立てが容易である。
【００１２】
本発明において、前記ヘッドケースの内部には、樹脂が充填されていることが望ましい。このようにすれば、複数のヘッド本体および回路基板をヘッドケース内で固定できる。また、各コイルから出力されるアナログ信号からノイズを除去するフィルタ回路を１枚の回路基板上にまとめて構成せずに、ヘッド本体ごとに分割した３つの回路基板上にそれぞれ構成しているので、ヘッドケースの内部に樹脂を隙間なく充填することが容易である。
【００１３】
本発明において、一方の基板面に前記復調回路を備え、他方の基板面に前記暗号化回路を備える第２の回路基板、を有し、前記ヘッドケースは、前記ヘッド本体を前記ヘッドケースに挿入するための開口部を備え、前記第２の回路基板は、前記一方の基板面を前記ヘッドケースの側に向けて前記開口部を塞ぐ状態で前記ヘッドケースに固定され、前記復調回路は、前記ヘッドケース内に配置されていることが望ましい。このようにすれば、第２の回路基板によってヘッドケースの開口部を封鎖できる。
【００１４】
次に、本発明は、ギャップを備えるコアおよび前記コアに巻き回されたコイルを備えるヘッド本体と、前記コイルから出力されるアナログ信号を復調する復調回路と、前記復調回路から出力される復調信号を暗号化する暗号化回路と、前記ヘッド本体を収納するヘッドケースと、を備える磁気ヘッドと、前記磁気ヘッドの前記ギャップを通過させるように磁気トラックを備える磁気カードを移動させるための経路と、を有するカードリーダにお
いて、前記磁気ヘッドは、前記コイルと前記復調回路との間に接続されて前記アナログ信号からノイズを除去するフィルタ回路を備え、前記フィルタ回路を構成する電子部品は、前記ヘッドケースに収納されていることを特徴とする。
【００１５】
本発明によれば、磁気ヘッドがヘッドケース内にフィルタ回路を備える。従って、磁気カードの磁気トラックを磁気ヘッドで読み取ったときにコイルから出力されるアナログ信号にノイズが重畳した場合でも、磁気ヘッドから出力される信号もノイズの影響が残ることを防止あるいは抑制できる。よって、カードリーダによる磁気トラックの読取精度が向上する。また、磁気ヘッドがヘッドケース内にフィルタ回路を備えるので、磁気ヘッドがアナログ信号を復調した後に暗号化して出力するものであっても、磁気ヘッドからの出力にノイズの影響が残ることを抑制できる。従って、本発明のカードリーダによれば、磁気カードの磁気情報が不正取得されることを防止可能であっても、ノイズに起因して読取精度が低下することを抑制できる。
【発明の効果】
【００１６】
本発明によれば、磁気ヘッドがヘッドケース内にフィルタ回路を備える。従って、磁気ヘッドを用いて磁気情報を読み取ったときにコイルから出力されるアナログ信号にノイズが重畳した場合でも、磁気ヘッドから出力される信号にノイズの影響が残ることを防止あるいは抑制できる。また、磁気ヘッドがヘッドケース内にフィルタ回路を備えるので、磁気ヘッドがアナログ信号を復調した後に暗号化して出力するものであっても、磁気ヘッドからの出力にノイズの影響が残ることを抑制できる。
【図面の簡単な説明】
【００１７】
【図１】本発明の実施の形態のカードリーダの説明図と磁気カードの説明図である。
【図２】図１のカードリーダに搭載された磁気ヘッドの斜視図である。
【図３】図２の磁気ヘッドの断面図である。
【図４】制御回路基板を取り除いた磁気ヘッドの斜視図である。
【図５】磁気ヘッドの信号処理系のブロック図である。
【発明を実施するための形態】
【００１８】
以下、図面を参照しながら、本発明の実施の形態の磁気ヘッドおよび当該磁気ヘッドを搭載するカードリーダを説明する。
【００１９】
（全体構成）
図１（ａ）は本発明の実施の形態にかかるカードリーダの説明図であり、図１（ｂ）はカードリーダによって磁気情報が読み取られる磁気カードの説明図である。本形態のカードリーダ１は、磁気ストライプ２を備える磁気カード（磁気記録媒体）３を読み取って磁気ストライプ２に担持された磁気情報を取得する。カードリーダ１は、カード挿入口５と、磁気ヘッド６と、カード挿入口５から磁気ヘッド６による読取位置Ａを経由して延びるカード搬送経路７と、カード挿入口５に挿入された磁気カード３をカード搬送経路７に沿って搬送する搬送機構８を備える。磁気ヘッド６は、そのセンサ面６ａをカード搬送経路７の側に向けて配置されている。搬送機構８は磁気カード３を間に挟んで搬送する搬送ローラー対９を２組備える。各組の搬送ローラー対９は読取位置Ａの上流側および下流側にそれぞれ配置されている。また、搬送機構８は、搬送ローラー対９の駆動源として搬送モータ１０を備える。
【００２０】
カードリーダ１は、カード挿入口５に磁気カード３が挿入されると、搬送モータ１０を駆動して搬送機構８を動作させる。これにより、磁気カード３はカード搬送経路７に沿って搬送されて読取位置Ａを通過する。磁気カード３が読取位置Ａを通過する際には磁気ストライプ２が磁気ヘッド６のセンサ面６ａに摺接する。これにより、磁気ヘッド６は、磁
気カード３がヘッド面６ａを通過する際の磁界の変化を検出して、磁気カード３に担持された磁気情報を出力する。磁気ヘッド６から出力される磁気情報は暗号化されている。
【００２１】
（磁気ヘッド）
図２（ａ）は磁気ヘッド６をセンサ面６ａとは反対側から見た場合の斜視図であり、図２（ｂ）は磁気ヘッド６をセンサ面６ａの側から見た場合の斜視図である。図３（ａ）は図２（ａ）のＯ−Ｏ線における磁気ヘッド６の断面図であり、図３（ｂ）は図２（ａ）のＰ−Ｐ線における磁気ヘッド６の断面図である。図４（ａ）は復調回路および暗号化回路を搭載した制御回路基板を取り除いた磁気ヘッド６をセンサ面６ａとは反対側から見た場合の平面図であり、図４（ｂ）は復調回路および暗号化回路を搭載した制御回路基板を取り除いた磁気ヘッド６をセンサ面６ａの側から見た場合の平面図である。図５は磁気ヘッド６の信号処理系のブロック図である。
【００２２】
以下の説明では、図１に示すように、磁気ヘッド６のセンサ面６ａが下方を向く姿勢を磁気ヘッド６の基準の姿勢とし、当該基準の姿勢における上下方向を磁気ヘッド６の上下方向Ｚとする。また、上下方向Ｚと直交する方向であって、カード搬送経路７を搬送される磁気カード３が磁気ヘッド６のセンサ面６ａを通過する通過方向を磁気ヘッド６の前後方向Ｘとする。さらに、上下方向Ｚおよび前後方向Ｘ（磁気カード３の通過方向）と直交する方向を磁気ヘッド６の幅方向（通過方向と交差する方向）Ｙとする。
【００２３】
磁気ヘッド６は、磁気カード３の磁気ストライプ２に形成される３本の磁気トラック１１（図１（ｂ）参照）を読み取る３チャンネル型の磁気ヘッドである。図２（ｂ）および図３（ｂ）に示すように、磁気ヘッド６は、ヘッドケース２１と、各磁気トラック１１から磁気情報を読み取るための３つのヘッド本体２２を備える。
【００２４】
ヘッドケース２１はパーマロイなどの軟磁性材料からなる。図２（ｂ）に示すように、ヘッドケース２１は、センサ面６ａを規定する矩形の底板部分２５と、底板部分２５の外周縁から上方Ｚ２に延びる角筒部分２６を備える。底板部分２５は前後方向Ｘの中央部分が外側に突出する湾曲形状である。底板部分２５における前後方向Ｘの中央部分には３つのセンサ面開口部２７が設けられている。３つのセンサ面開口部２７は前後方向Ｘに延びる長穴であり、幅方向Ｙに配列されている。図３に示すように、角筒部分２６の底板部分２５とは反対側の端（上端）は、ヘッドケース２１に３つのヘッド本体２２を挿入するための開口部２８となっている。
【００２５】
図３（ａ）に示すように、各ヘッド本体２２はギャップ３１を備えるコア３２と、当該コア３２にコイルボビン３３を介して巻き回されたコイル３４と、コイル３４の一方端に接続された第１端子３５と、コイル３４の他方端に接続された第２端子３６を備える。
【００２６】
コア３２は、コイルボビン３３を介してコイル３４が巻き回された巻回部分３８を備える。巻回部分３８は棒状であり、矩形の断面形状を備える。巻回部分３８は前後方向Ｘに延びている。また、コア３２は、図３（ａ）に示すように、巻回部分３８の前後方向Ｘの一方側の端部から下方Ｚ１（センサ面６ａの側）に突出するように設けられた第１腕部分３９と、前後方向Ｘの他方側の端部から下方Ｚ１に突出して設けられた第２腕部分４０を備える。
【００２７】
第１腕部分３９は、巻回部分３８の一方側の端部から下方Ｚ１に延びる第１延設部４２と、第１延設部４２の下端部から前後方向Ｘを他方側に向かって延びる第２延設部４３と、第２延設部４３の他方側の端部から下方Ｚ１に延びる第３延設部４４を備える。第２腕部分４０は、巻回部分３８の他方側の端部から下方Ｚ１に延びる第１延設部４２と、第１延設部４２の下端部から前後方向Ｘを一方側に向かって延びる第２延設部４３と、第２延
設部４３の一方側の端部から下方Ｚ１に延びる第３延設部４４を備える。ここで、第１腕部分３９の第３延設部４４の下端部と、第２腕部分４０の第３延設部４４の下端部とは、ギャップ３１を隔てて前後方向Ｘで対向する対向部４５となっている。また、第１腕部分３９と第２腕部分４０とは、ギャップ３１における前後方向Ｘの中心を上下方向Ｚおよび幅方向Ｙに広がる仮想面Ｓに対して対称の形状を備える。
【００２８】
コイル３４は、その中心軸線を前後方向Ｘに向けている。第１端子３５および第２端子３６は前後方向Ｘにおけるコイルボビン３３の前後方向Ｘの両端部分にそれぞれ固定されている。第１端子３５および第２端子３６は上方Ｚ２（センサ面６ａとは反対側）に向かって平行に延びる。
【００２９】
３つのヘッド本体２２は、図３（ｂ）に示すように、幅方向Ｙに配列されてヘッドケース２１に収納されている。これにより、ヘッドケース２１の底板部分２５に設けられたセンサ面開口部２７からは、各ヘッド本体２２のギャップ３１がヘッドケース２１の外側に露出する（図２（ｂ）、図４（ｂ）参照）。ここで、幅方向Ｙで隣り合うヘッド本体２２の間にはシールド板４９が配置されている。シールド板４９はパーマロイなどの軟磁性材料からなる平板である。シールド板４９は、その厚み方向を幅方向Ｙに向けて、前後方向Ｘおよび上下方向Ｚに広がっている。
【００３０】
次に、磁気ヘッド６は、図５に示すように、各ヘッド本体２２の第１端子３５および第２端子３６から出力されるアナログ信号からノイズを除去するフィルタ回路５１と、フィルタ回路５１から出力されるノイズ除去済みのアナログ信号を復調する復調回路５２と、復調回路５２から出力される復調信号を暗号化する暗号化回路５３を備える。磁気ヘッド６から出力される暗号化信号は暗号化回路５３から出力されるものである。
【００３１】
フィルタ回路５１はチャンネル毎に設けられている。すなわち、磁気ヘッド６は、フィルタ回路５１として、各ヘッド本体２２の第１端子３５および第２端子３６から出力されるアナログ信号からそれぞれノイズを除去する３つのフィルタ回路５１を備える。図４（ａ）に示すように、各フィルタ回路５１は、各ヘッド本体２２の第１端子３５と第２端子３６の間に架け渡された各回路基板５５に構成されている。ここで、フィルタ回路５１は、第１端子３５および第２端子３６から出力されるアナログ信号から磁気情報の取得に必要な周波数帯帯域を除く他の周波数帯域をノイズとして除去する。なお、磁気情報の周波数成分と搬送機構８により移動する磁気カード３の移動速度は予め把握することができるので、周波数成分と移動速度に基づいてノイズとして除去する他の周波数帯域を予め把握できる。
【００３２】
各回路基板５５の上側の基板面５５ａには、フィルタ回路用の配線パターン（不図示）が形成されており、フィルタ回路５１を構成するコンデンサ５６および抵抗５７（複数の電子部品）が実装されている。各回路基板５５は、長手方向を前後方向Ｘに向けた長方形の基板であり、長手方向の両端部分にスルーホール５８が設けられている。また、回路基板５５は各スルーホール５８のそれぞれに第１端子３５および第２端子３６を貫通させた状態で第１端子３５および第２端子３６に架け渡されている。スルーホールを貫通した第１端子３５および第２端子３６のそれぞれは、基板面５５ａにおけるスルーホール５８の回りに設けられた配線パターンのランドに半田付けされている。ここで、各回路基板５５の幅は、各ヘッド本体２２の幅と同一か、または、僅かに狭い。また、上下方向Ｚから見た場合に、ヘッド本体２２と、ヘッド本体２２の第１端子３５および第２端子３６に架け渡した回路基板５５とは重なっている。
【００３３】
復調回路５２は、各フィルタ回路５１から出力されるノイズ除去済みのアナログ信号を復調してデジタルの復調信号を出力する。図３に示すように、復調回路５２は復調ＩＣ６
１を備える。復調ＩＣ６１は制御回路基板６２の下側の基板面（第１基板面）６２ａに実装されている。暗号化回路５３は、所定の暗号化関数と鍵データとによって復調信号を暗号化して暗号化信号を出力する。暗号化回路５３はＣＰＵ６３を備える。ＣＰＵ６３は制御回路基板６２の上側の基板面６２ｂに実装されている。ここで、各フィルタ回路５１（各回路基板５５）と、復調回路５２（制御回路基板６２）とは、不図示のフレキシブルプリント基板により接続されている。
【００３４】
制御回路基板６２は、ヘッドケース２１の角筒部分２６に固定されて、開口部２８を上方Ｚ２から被う。これにより、復調回路５２はヘッドケース２１内に配置される。ここで、ヘッドケース２１内には樹脂７０が充填されている。樹脂７０はエポキシ系の樹脂であり、この樹脂は制御回路基板６２をヘッドケース２１に固定している。また、制御回路基板６２の上側の基板面６２ｂのＣＰＵ６３は、その全体が樹脂７１により封止されている。樹脂７１はエポキシ系の樹脂である。
【００３５】
（磁気ヘッドの組み立て）
磁気ヘッド６を組み立てる際には、まず、ヘッド本体２２の第１端子３５および第２端子３６に、コンデンサ５６および抵抗５７を実装した回路基板５５を架け渡す。そして、ヘッド本体２２と回路基板５５とを一体とする。次に、ヘッドケース２１を、そのセンサ面６ａが下方Ｚ１に向いた姿勢とする。
【００３６】
その後、一体とされたヘッド本体２２と回路基板５５の組を、３組、開口部２８からヘッドケース２１に挿入する。また、ヘッドケース２１内において、一体とされたヘッド本体２２と回路基板５５の組を幅方向Ｙに配列する。しかる後に、隣り合う回路基板５５の間に上方Ｚ２からシールド板４９を挿入する。そして、挿入したシールド板４９のそれぞれを隣り合うヘッド本体２２の間に位置させる。この結果、図４に示す状態が形成される。
【００３７】
次に、復調回路５２と暗号化回路５３を備える制御回路基板６２と各回路基板５５とを不図示のフレキシブルプリント基板により接続する。その後、開口部２８を介してヘッドケース２１に樹脂を充填する。また、復調回路５２の復調ＩＣ６１が実装された基板面６２ａを下方Ｚ１に向け、復調ＩＣ６１を開口部２８からヘッドケース２１に挿入して、制御回路基板６２により開口部２８を被う。これにより、制御回路基板６２は、ヘッドケース２１に充填された樹脂７０によってヘッドケース２１の開口縁に固定される。その後、制御回路基板６２の上面を樹脂７１で被い、暗号化回路５３のＣＰＵ６３を封止する。これにより、磁気ヘッド６は完成する。
【００３８】
本例では、フィルタ回路５１を備える回路基板５５がヘッド本体２２の第１端子３５と第２端子３６に架け渡されてヘッド本体２２と一体とされている。従って、回路基板５５をヘッド本体２２とともにヘッドケース２１に収納しやすい。
【００３９】
ここで、各ヘッド本体２２の各コイル３４から出力されるアナログ信号からノイズを除去するフィルタ回路５１は、１枚の回路基板上にまとめて構成することが可能である。しかし、本例では、３枚に分割した回路基板５５のそれぞれに各チャンネル用のフィルタ回路５１を構成している。また、分割された各回路基板５５の幅はヘッド本体２２の幅以下であり、上下方向Ｚから見た場合に、ヘッド本体２２と回路基板５５とが重なる。従って、シールド板４９を隣り合うヘッド本体２２の間に挿入する際に、回路基板５５がシールド板４９の挿入を妨げることがなく、磁気ヘッド６の組み立てが容易である。
【００４０】
（作用効果）
本例のカードリーダ１によれば、磁気ヘッド６がヘッドケース２１内にフィルタ回路５
１を備える。従って、コイル３４から出力されるアナログ信号にノイズが重畳した場合でも、磁気ヘッド６から出力される信号にノイズの影響が残ることを防止あるいは抑制できる。従って、カードリーダ１による磁気トラック１１の読取精度が向上する。また、磁気ヘッド６がヘッドケース２１内にフィルタ回路５１を備えるので、アナログ信号を復調した後に暗号化して出力する磁気ヘッド６においても、アナログ信号に重畳しているノイズを除去できる。
【００４１】
また、本例では、フィルタ回路５１を構成するコンデンサ５６および抵抗５７が回路基板５５に実装されてヘッドケース２１に収納されている。ここで、回路を構成する電子部品が複数ある場合には、これらの電子部品を回路基板５５に実装することによりコンパクトに纏めることができる。従って、フィルタ回路５１をヘッドケース２１内に収納することが容易となる。また、フィルタ回路５１をヘッドケース２１内に収納した磁気ヘッド６を小型化できる。
【００４２】
さらに、本例では、各ヘッド本体２２の間にシールド板４９を備えるので、互いに隣り合う一方のヘッド本体２２が発生させる磁界がノイズとして他方のヘッド本体２２に影響を及ぼすことを防止できる。
【００４３】
（その他の実施の形態）
上記の例では、各チャンネル用のフィルタ回路５１がそれぞれ別々の回路基板５５に構成されているが、１枚の回路基板上に構成してもよい。また、フィルタ回路５１を構成する電子部品は回路基板５５に実装されているが、回路基板５５を備えずに、各電子部品を直接接続してフィルタ回路５１を構成して、各ヘッド本体２２の各コイル３４（第１端子３５および第２端子３６）に直接接続してもよい。
【００４４】
また、カードリーダは、搬送機構８を備えておらず、磁気ヘッド６による読取位置Ａを経由するガイド溝（経路）に沿って手動で磁気カード３を移動させるものでもよい。このようなカードリーダおいては、経路を移動する際に発生する磁気カードの微小な振動に起因するノイズがコイル３４から出力されるアナログ信号に重畳することがある。これに対して、カードリーダが本例の磁気ヘッド６を備えれば、磁気ヘッド６から出力される信号からノイズを除去できる。よって、従って、カードリーダによる磁気トラック１１の読取精度が向上する。
【符号の説明】
【００４５】
１・・・カードリーダ
３・・・磁気カード（磁気記録媒体）
６・・・磁気ヘッド
７・・・カード搬送経路（経路）
１１・・・磁気トラック
２１・・・ヘッドケース
２２・・・ヘッド本体
２８・・・開口部
３１・・・ギャップ
３２・・・コア
３４・・・コイル
３５・・・第１端子
３６・・・第２端子
４９・・・シールド板
５１・・・フィルタ回路
５２・・・復調回路
５３・・・暗号化回路
５５・・・回路基板
５６・・・コンデンサ（電子部品）
５７・・・抵抗（電子部品）
６２・・・制御回路基板（第２の回路基板）
６２ａ・・・一方の基板面
６２ｂ・・・他方の基板面
Ａ・・・読取位置
Ｘ・・・磁気ヘッドの前後方向（通過方向）
【図１】
2017174483.tif 000003
【図２】
2017174483.tif 000004
【図３】
2017174483.tif 000005
【図４】
2017174483.tif 000006
【図５】
2017174483.tif 000007